(57)【要約】  【課題】主として屋外のコンクリート床面上に、又は必要に応じて屋内の床面上に、手摺りを高架に設置する支柱の下部を床面に垂直度を調整し固定して建てる柱脚スタンドを提供する。  【解決手段】床面にアンカーボルト２又はねじ釘等で固定される取付ベース板３と、上向きに筒状をなす支柱固定部４を備え、取付ベース板３の上に重ねて設置される柱脚ホルダー５と、前記の取付ベース板３と柱脚ホルダー５とを前記支柱固定部４の垂直度を調整可能状態に連結する連結部材とから成る。【選択図】  図３
2006328804.tif 000002
【特許請求の範囲】
【請求項１】
屋内又は屋外の床面上に手摺りを高架に設置する支柱の下部を床面にほぼ垂直に固定して建てる柱脚スタンドであって、
床面にアンカーボルト又はねじ釘等で固定される取付ベース板と、上向きに筒状をなす支柱固定部を備え前記取付ベース板の上に重ねて設置される柱脚ホルダーと、前記の取付ベース板と柱脚ホルダーとを前記支柱固定部の垂直度を調整可能状態に連結する連結部材とから成り、
前記取付ベース板は、中央部に半球形状に盛り上がる凸部を備え、前記凸部の裏面は半球形状の連結用凹面に形成され、同凸部の頂部中央に平面視が円形の開口が設けられ、また、取付ベース板の周辺部には、床面のアンカーボルト等を通すボルト孔が複数設けられており、
前記柱脚ホルダーは、上向きに有底筒状をなす支柱固定部を備え、この支柱固定部の下面側に前記取付ベース板の半球形状の凸部の上に３６０度全方向へ一定の角度傾動可能に載る半球形状の凹面部が形成され、また、支柱固定部の底部外周に前記支柱固定部の垂直角度を調整する角度調整板を備え、前記角度調整板の周辺部に前記支柱固定部の垂直度を調整し固定する複数の角度調整・固定用ボルトが設けられており、
前記連結部材は、前記取付ベース板の凸部の裏面の半球形状の連結用凹面へ内接する半球形状の摺動スリーブと、前記摺動スリーブの半球形状の頂部から直径線方向に貫通されたボルト孔を通じて上向きに挿入され、前記取付ベース板の凸部上に半球形状の凹面部を載せた前記柱脚ホルダーの支柱固定部の底部を連結する連結ボルトとからなり、
手摺りを支持する支柱の下端部は、前記複数の角度調整・固定用ボルトにより垂直度を調整して固定された柱脚ホルダーの支柱固定部の中へ挿入して固定されることを特徴とする、支柱の柱脚スタンド。
【請求項２】
摺動スリーブは、半球形状の頂部を直径線方向に貫通されたボルト孔に沿って半球形状の頂部から立ち上がる筒状の間隔保持部を備え、該筒状の間隔保持部は、前記ボルト孔を通じて挿入した連結ボルトが、前記取付ベース板の凸部とその上に重ねた前記柱脚ホルダーの支柱固定部の底部とを連結した締め付け力が過大にならない間隔を保つ高さに形成され、同凸部の頂部中央に設けられた平面視が円形の開口は、前記筒状の間隔保持部の傾動を一定の角度まで許容する大きさに形成されていることを特徴とする、請求項１に記載した支柱の柱脚スタンド。
【請求項３】
柱脚ホルダーの支柱固定部の底部外周に設けられた角度調整板の下面は、支柱固定部の位置を中心として半径方向上向きに反る傾斜面に形成されていることを特徴とする、請求項１又は２に記載した支柱の柱脚スタンド。
【請求項４】
柱脚ホルダーの支柱固定部の底部に連結ボルトをねじ込み締結するネジ孔が設けられていることを特徴とする、請求項１〜３のいずれか一に記載した支柱の柱脚スタンド。
【請求項５】
柱脚ホルダーの支柱固定部の底部外周に設けられた角度調整板の平面視形状は、角度調整・固定用ボルトを設けた部分が半径方向外側に張り出し、取付ベース板の周辺部のアンカーボルト等を通すボルト孔と重なる部分は同ボルト孔を露出させる形状と大きさに半径方向内側に抉られた星形状に形成されていることを特徴とする、請求項１〜４のいずれか一に記載した支柱の柱脚スタンド。
【発明の詳細な説明】
【技術分野】
【０００１】
この発明は、主として屋外のコンクリート床面上に、又は必要に応じて屋内の床面上に、手摺りを高架に設置する支柱の下部を床面に垂直度を調整し固定して建てる柱脚スタンドの技術分野に属する。
【背景技術】
【０００２】
手摺りを屋内外の床面上に高架に設置する場合、床面の傾きの有無あるいは状況の如何に拘わらず、支柱はほぼ垂直に（又は鉛直に。以下同じ。）きっちり調整し充分強固に固定して建てることが要求される。従来、このような要求を満たす目的の柱脚スタンドが下記の特許文献１〜３に開示されている。
【０００３】
【特許文献１】特開平７−２２９２６２号公報
【特許文献２】特開平９−２６８７２９号公報
【特許文献３】特開平１０−２９９２１２号公報
【発明の開示】
【発明が解決しようとする課題】
【０００４】
上記の特許文献１〜３に開示された柱脚スタンドは、それぞれ一案とは認められる。しかし、いずれも支柱を垂直な２次元面内でのみ垂直度の調整が可能な構成であり、垂直な３次元面内の垂直度の調整はできない構成である。一方、床面の有様は、垂直な２次元面内での傾きであることは希で、むしろ垂直な３次元面の方向に複雑に傾斜している。そのため、従来の上記柱脚スタンドは、対応性と使い勝手および精度が悪いという問題点がある。
また、従来の上記柱脚スタンドは、一旦垂直精度を調整して建てると、その後に再度調整し直すことは至難の構成である。そのため当初の垂直度の調整に充分慎重を期すことが要求され、その結果、多くの時間と手間を要した。
【０００５】
本発明の目的は、垂直な３次元面内での垂直度の調整が容易に可能であり、垂直精度を出しやすく、しかも一旦垂直精度を調整し固定して支柱を建てた後でも、再び垂直精度の修正や角度設定のやり直しをすることが容易に可能で、対応性と使い勝手に優れた、支柱の柱脚スタンドを提供することである。
【課題を解決するための手段】
【０００６】
上記した従来技術の課題を解決するための手段として、請求項１に記載した発明に係る支柱の柱脚スタンドは、
屋内又は屋外の床面１上に手摺り２３を高架に設置する支柱２０の下部を床面１にほぼ垂直に固定して建てる柱脚スタンドであって、
床面１にアンカーボルト２又はねじ釘等で固定される取付ベース板３と、上向きに筒状をなす支柱固定部４を備え、前記取付ベース板３の上に重ねて設置される柱脚ホルダー５と、前記の取付ベース板３と柱脚ホルダー５とを前記支柱固定部４の垂直度を調整可能状態に連結する連結部材とから成る。
前記取付ベース板３は、中央部に半球形状に盛り上がる凸部８を備え、前記凸部８の裏面は半球形状の連結用凹面８ａに形成され、同凸部８の頂部中央に平面視が円形の開口８ｂが設けられ、また、取付ベース板３の周辺部には、床面１のアンカーボルト２等を通すボルト孔１０が複数設けられている。
前記柱脚ホルダー５は、上向きに有底筒状をなす支柱固定部４を備え、この支柱固定部４の下面側に前記取付ベース板３の半球形状の凸部８の上に３６０度全方向へ一定の角度傾動可能に載る半球形状の凹面部１１が形成され、また、支柱固定部４の底部外周に前記支柱固定部４の垂直角度を調整する角度調整板１２を備え、前記角度調整板１２の周辺部に前記支柱固定部４の垂直角度を調整し固定する複数の角度調整・固定用ボルト１３が設けられている。
前記連結部材は、前記取付ベース板３の凸部８の裏面の半球形状の連結用凹面８ａへ内接する半球形状の摺動スリーブ６と、前記摺動スリーブ６の半球形状の頂部から直径線方向に貫通されたボルト孔６ａを通じて上向きに挿入され、前記取付ベース板３の凸部８上に半球形状の凹面部１１を載せた前記柱脚ホルダー５の支柱固定部４の底部を連結する連結ボルト７とからなる。
手摺り２３を支持する支柱２０の下端部は、前記複数の角度調整・固定用ボルト１３により垂直度を調整して固定された柱脚ホルダー５の支柱固定部４の中へ挿入して固定されることを特徴とする。
【０００７】
請求項２に記載した発明は、請求項１に記載した支柱の柱脚スタンドにおいて、
摺動スリーブ６は、半球形状の頂部を直径線方向に貫通されたボルト孔６ａに沿って半球形状の頂部から立ち上がる筒状の間隔保持部６ｂを備え、該筒状の間隔保持部６ｂは、前記ボルト孔６ａを通じて挿入した連結ボルト７が、前記取付ベース板３の凸部８とその上に重ねた前記柱脚ホルダー５の支柱固定部４の底部とを連結した締め付け力が過大にならない間隔を保つ高さに形成され、同凸部８の頂部中央に設けられた平面視が円形の開口８ｂは、前記筒状の間隔保持部６ｂの傾動を一定の角度まで許容する大きさに形成されていることを特徴とする。
【０００８】
請求項３に記載した発明は、請求項１又は２に記載した支柱の柱脚スタンドにおいて、
柱脚ホルダー５の支柱固定部４の底部外周に設けられた角度調整板１２の下面は、支柱固定部４の位置を中心として半径方向上向きに反る傾斜面に形成されていることを特徴とする。
【０００９】
請求項４に記載した発明は、請求項１〜３のいずれか一に記載した支柱の柱脚スタンドにおいて、
柱脚ホルダー５の支柱固定部４の底部に連結ボルト７をねじ込み締結するネジ孔９が設けられていることを特徴とする。
【００１０】
請求項５に記載した発明は、請求項１〜４のいずれか一に記載した支柱の柱脚スタンドにおいて、
柱脚ホルダー５の支柱固定部４の底部外周に設けられた角度調整板１２の平面視形状は、角度調整・固定用ボルト１３を設けた部分が半径方向外側に張り出し、取付ベース板３の周辺部のアンカーボルト２等を通すボルト孔１０と重なる部分は、同ボルト孔１０を露出させる形状と大きさに半径方向内側に抉られて星形状に形成されていることを特徴とする。
【発明の効果】
【００１１】
本発明に係る支柱の柱脚スタンドは、屋内外の別を問わずに適用することができる。
本発明に係る支柱の柱脚スタンドは、取付ベース板３と柱脚ホルダー５とを連結部材で支柱固定部４の垂直度を調整可能状態に連結して、又は連結する前に取付ベース板３を床面１へアンカーボルト２又はねじ釘等で固定し、上向きに直立する支柱固定部４を複数の角度調整・固定用ボルト１３により調整し固定する構成であるから、支柱固定部４は垂直な３次元面内で如何なる方向にも容易に高精度に調整し固定することができる。従って、床面１の複雑、多様な傾き、有様にきっちり対処できる。しかも、支柱固定部４の垂直度を一旦調整し固定した後にも、角度調整・固定用ボルト１３を締め緩め操作することにより、何時でも随時に角度の調整、固定のやり直しや変更を行うことができる。よって使い勝手が良く至便である。  
【発明を実施するための最良の形態】
【００１２】
床面１にアンカーボルト２又はねじ釘等で固定される取付ベース板３と、上向きに筒状をなす支柱固定部４を備え、前記取付ベース板３の上に重ねて設置される柱脚ホルダー５と、前記の取付ベース板３と柱脚ホルダー５とを前記支柱固定部４の垂直度を調整可能状態に連結する連結部材とで構成する。
前記取付ベース板３は、中央部に半球形状に盛り上がる凸部８を備え、前記凸部８の裏面は半球形状の連結用凹面８ａに形成し、同凸部８の頂部中央に平面視が円形の開口８ｂを設け、取付ベース板３の周辺部には、床面１のアンカーボルト２等を通すボルト孔１０を複数設ける。
前記柱脚ホルダー５は、上向きに有底筒状をなす支柱固定部４を備えるものとし、この支柱固定部４の下面側に前記取付ベース板３の半球形状の凸部８の上に３６０度全方向へ一定の角度傾動可能に載る半球形状の凹面部１１を形成する。また、支柱固定部４の底部外周に前記支柱固定部４の垂直角度を調整する角度調整板１２を設けて、前記角度調整板１２の周辺部に前記支柱固定部４の垂直度を調整し固定する複数の角度調整・固定用ボルト１３を設ける。
前記連結部材は、前記取付ベース板３の凸部８の裏面の半球形状の連結用凹面８ａへ内接する半球形状の摺動スリーブ６と、前記摺動スリーブ６の半球形状の頂部から直径線方向に貫通させボルト孔６ａを通じて上向きに挿入し、前記取付ベース板３の凸部８上に半球形状の凹面部１１を載せた前記柱脚ホルダー５の支柱固定部４の底部を連結する連結ボルト７とで構成する。
手摺り２３を支持する支柱２０の下端部は、前記複数の角度調整・固定用ボルト１３、１３により垂直度を調整して固定された柱脚ホルダー５の支柱固定部４の中へ挿入して固定する。
【実施例１】
【００１３】
以下に、本発明を図示した実施例に基づいて説明する。
本発明に係る支柱の柱脚スタンドは、図１に分解図を示したように、床面１が屋内外のコンクリート床である場合にはアンカーボルト２で、屋内の板張り床の場合にはねじ釘等で固定される円盤形状の取付ベース板３と、上向きに筒状をなす支柱固定部４を備え前記取付ベース板３の上に重ねて設置される柱脚ホルダー５と、前記の取付ベース板３と柱脚ホルダー５とを前記支柱固定部４の垂直度を調整可能な状態に連結する連結部材たる摺動スリーブ６および連結ボルト７とで構成されている。前記の取付ベース板３および柱脚ホルダー５は、一例としてアルミニュームのダイキャスト製品として製作される。
【００１４】
上記円盤形状の取付ベース板３は、その中央部に半球形状に盛り上がる凸部８を備えている。前記凸部８の裏面は、図３、４に示した通り、ほぼ均等肉厚となるように半球形状に抉った中空の連結用凹面８ａに形成され、同凸部８の頂部中央には平面視が円形の開口８ｂが設けられている。また、取付ベース板３の周辺部には、床面１のアンカーボルト２等を通すボルト孔１０が円周方向に少し長い長孔として、図示例の場合には円周を４等分した４箇所の位置に設けられている。
【００１５】
上記の柱脚ホルダー５は、後述する支柱を挿入可能な口径の有底筒状（図３、図４を参照）をなす支柱固定部４を上向きに備えていることは上述した通りであり、この支柱固定部４の下面側には、上記した取付ベース板３の半球形状の凸部８の上に３６０度全方向へ一定の角度傾動可能に載る半球形状の凹面部１１が形成されている。そして、支柱固定部４の底部外周には、前記支柱固定部４の垂直角度を調整することを可能ならしめる角度調整板１２が形成され、この角度調整板１２の周辺部には前記支柱固定部４の垂直度を調整し固定するための角度調整・固定用ボルト１３が、図示例の場合には支柱固定部４の中心を通る直交線上の位置に４本設けられている。図示した角度調整・固定用ボルト１３は上端部にスパナ装着用の六角穴１３ａ付きのボルトで、角度調整板１２のネジ孔へ垂直にねじ込まれ、その先端は取付ベース板３の上面へ突き当たる構成とされている。但し、通常の頭付きボルトを用いても良い。
【００１６】
上記柱脚ホルダー５の支柱固定部４の底部外周に設けられた角度調整板１２の下面は、図４に見られる通り、支柱固定部４の位置を中心として半径方向上向きに反る傾斜面に形成されている（請求項３）。図示した角度調整・固定用ボルト１３による支柱固定部４の垂直度調整の許容範囲を広くするためである。
上記柱脚ホルダー５の支柱固定部４の底部外周に設けられた角度調整板１２の平面視形状は、図１および図５に見られるように、角度調整・固定用ボルト１３を設けた部分が半径方向外側に張り出させ、取付ベース板３の周辺部のアンカーボルト２等を通すボルト孔１０と重なる部分は同ボルト孔１０を露出させる形状と大きさに半径方向内側に抉られた星形状（図５を参照）に形成されている（請求項５）。ボルト孔１０へ通したアンカーボルト２および同ボルトへねじ込んだナット１８と干渉を起こして支柱固定部４の垂直度調整に支障を来すことのないようにする為である。
【００１７】
上記連結部材を構成する摺動スリーブ６は、上記取付ベース板３の凸部８の裏面の半球形状の連結用凹面８ａへ内接する半球形状に構成され、この摺動スリーブ６には半球形状の頂部から直径線方向に貫通されたボルト孔６ａを備えている。更に、前記ボルト孔６ａに沿って半球形状の頂部から立ち上がる筒状の間隔保持部６ｂを備えている。該筒状の間隔保持部６ｂは、前記ボルト孔６ａを通じて挿入した連結ボルト７が、前記取付ベース板３の凸部８とその上に重ねた前記柱脚ホルダー５の支柱固定部４の底部とを連結した締め付け力が過大にならないように、即ち柱脚ホルダー５の傾動可能性を担保する間隔を保つ高さに形成されている。因みに図示例の場合、連結ボルト７は柱脚ホルダー５の支柱固定部４の底部に設けたネジ孔９へねじ込まれ連結の目的を達している（請求項４）。しかし、支柱固定部４を通じてその上方からナットを締め付ける構成で実施することもできる。
上記の次第であるから、凸部８の頂部中央に設けられた平面視が円形の開口８ｂは、前記筒状の間隔保持部６ｂの傾動を一定の角度まで許容する大きさに形成され、もって角度調整・固定用ボルト１３による支柱固定部４の垂直度調整の許容範囲を充分に広く確保している。
支柱固定部４には、後述するように挿入される支柱２０を固定する止めボルト２１をねじ込むネジ孔１４が複数適宜な配置に設けられている。図中の符号１５は、支柱固定部４の底壁に設けられた排水孔である。
【００１８】
次に、上記のように構成された柱脚スタンドの使用方法および使用状態について説明する。
床面１に支柱を建てるべき位置を墨出しにより定める。一方、取付ベース板３の凸部８の上に、柱脚ホルダー５の半球形状の凹面部１１を載せ、前記取付ベース板３の凸部８の裏面の半球形状の連結用凹面８ａへ摺動スリーブ６の半球形部をあてがい、そのボルト孔６ａへ連結ボルト７を通し、支柱固定部４の底部に設けられたネジ孔９へねじ込み充分強く締結して取付ベース板３と柱脚ホルダー５の連結を行う。但し、支柱固定部４の上方からナットを締め付ける方式の場合には、取付ベース板３と柱脚ホルダー５の連結を後回しにすることもできる。
その後、上記床面の墨出し位置へ前記の取付ベース板３を仮置きし、同取付ベース板３の各ボルト孔１０の位置を墨出しする。この場合、柱脚ホルダー５の角度調整・固定用ボルト１３のいずれか一が床面１の傾斜方向に想定した直線の上手又は下手に位置する配置とするのが、後の支柱固定部４の垂直度調整の処理に好ましい。こうして床面１に定められた各ボルト孔１０の墨出し位置に、床面１がコンクリート床である場合には、アンカーボルト２を埋め込む。床面１が板張り構造である場合には、ねじ釘のねじ込み（打ち込み）を容易にする下孔を設ける。
【００１９】
上記のように連結しておいた取付ベース板３を柱脚ホルダー５と共に床面１上の上記アンカーボルト２が各ボルト孔１０へ通る配置に載置し、ナット１８を締結して強固に固定する。
次には、一例として支柱固定部４の上端へ市販の水準器を床面１の傾斜方向の向きに載せ、同水準器が水平を示すまで、傾斜方向の上下に位置する２本の角度調整・固定用ボルト１３、１３を調整操作する。同時に並行して直交方向に位置する残り２本の角度調整・固定用ボルト１３も水準器が水平度を指すように調整操作して支柱固定部４の垂直精度を高めてゆき、最終調整が確定した段階で、それぞれの角度調整・固定用ボルト１３を強力に締め付けて固定する。
こうして支柱固定部４の固定処理を終えた段階で、図４及び図７に示すように、当該柱脚スタンドにカバー１７を被せて外観の見栄えを良くする。
【００２０】
その後、上記の支柱固定部４へ支柱２０の下端を挿入し、支柱固定部４の各ネジ孔１４へ止めネジ２１（又は止めボルト）をねじ込み強固に固定する。そして、支柱２０の上端に用意した継手２２に手摺り２３を支持させることになる。
なお、見栄えの良さを考慮し、また万が一にも手摺り使用者の歩行に支障を来すことのないように、上記支柱固定部４の各ネジ孔１４および止めネジ２１の位置は、手摺り使用者の歩行場所から見て外側の位置となるように配置するのが好ましい。
【００２１】
以上に本発明を図示した実施例に基づいて説明したが、勿論、本発明は上記実施例の構成に限定されるものではない。本発明の要旨、及び技術思想を逸脱しない範囲で、当業者が必要に応じて行うであろう設計変更や応用、変形として種々な態様で実施されるものであることを、念のため申し添える。
【図面の簡単な説明】
【００２２】
【図１】本発明に係る柱脚スタンドの構成要素を分解して示した斜視図である。
【図２】取付ベース板の設置状態を示す斜視図である。
【図３】柱脚スタンドの組み立て使用の状態を破断して示す斜視図である。
【図４】柱脚スタンドの組み立て使用の状態を示す垂直断面図である。
【図５】柱脚スタンドの平面図である。
【図６】柱脚スタンドの底面図である。
【図７】支柱及び手摺りの使用状態を示す立面図である。
【符号の説明】
【００２３】
１          床面
２３        手摺り
２０        支柱
２          アンカーボルト
３          取付ベース板
４          支柱固定部
５          柱脚ホルダー
８          凸部
８ａ        連結用凹面
８ｂ        開口
１０        ボルト孔
１１        凹面部
１２        角度調整板
１３        角度調整・固定用ボルト
６          摺動スリーブ
６ａ        ボルト孔
６ｂ        間隔保持部
７          連結ボルト
【図１】
2006328804.tif 000003
【図２】
2006328804.tif 000004
【図３】
2006328804.tif 000005
【図４】
2006328804.tif 000006
【図５】
2006328804.tif 000007
【図６】
2006328804.tif 000008
【図７】
2006328804.tif 000009